(57)【要約】  本発明の課題は、軽量化及び薄膜化され、発光体の装着及び脱着が容易で、耐震性、難燃性及びメンテナンス容易性（交換容易性）に優れ、加えて防音機能も備えた横長で面状の照明装置を提供することである。  本発明の照明装置は、壁面に設置する溝部Ｇを有する壁部材１と、該壁部材１の溝部Ｇに掛止する構造を有する可撓性の面状照明部材３から構成される照明装置であって、前記壁部材１は、前記溝部Ｇに複数の電力供給用端子２を有し、面状照明部材３は、前記壁部材１の溝部Ｇに掛止したときに、電力供給用端子２より電力を受給することができる位置に、電力受給用端子７を有することを特徴とする。
2014038279.tif 000002
【特許請求の範囲】
【請求項１】
壁面に設置する溝部を有する壁部材と、当該壁部材の前記溝部に掛止する構造を有する可撓性の面状照明部材から構成される照明装置であって、前記壁部材は、前記溝部に複数の電力供給用端子を有し、前記面状照明部材は、前記壁部材の溝部に掛止したときに、前記電力供給用端子より電力を受給することができる位置に、電力受給用端子を有することを特徴とする照明装置。
【請求項２】
前記面状照明部材が、発光体として発光体として有機エレクトロルミネッセンス素子を具備した有機エレクトロルミネッセンス素子パネルであることを特徴とする請求項１に記載の照明装置。
【請求項３】
前記面状照明部材が、少なくとも前記電力受給用端子、可撓性の有機エレクトロルミネッセンス素子パネル及び可撓性の保持部材から構成されていることを特徴とする請求項１又は請求項２に記載の照明装置。
【請求項４】
前記可撓性の保持部材を構成する材料が、発泡樹脂材料、繊維質材料及び多孔質材料から選ばれる少なくとも１種であることを特徴とする請求項３に記載の照明装置。
【請求項５】
前記壁部材が有する複数の電力供給用端子間の距離をＬ１とし、前記面状照明部材が有する電力受給用端子の最大の幅をＬ２としたとき、Ｌ１＞Ｌ２の関係を満たすことを特徴とする請求項１から請求項４までのいずれか一項に記載の照明装置。
【請求項６】
前記面状照明部材が有する複数の電力受給用端子間の距離をＬ４とし、前記壁部材が有する電力供給用端子の最大の幅をＬ３としたとき、Ｌ４＞Ｌ３の関係を満たすことを特徴とする請求項１から請求項５までのいずれか一項に記載の照明装置。
【請求項７】
前記有機エレクトロルミネッセンス素子パネルは、非発光状態における波長５５０ｎｍの光透過率Ｔが、６５％以上であることを特徴とする請求項２から請求項６までのいずれか一項に記載の照明装置。
【請求項８】
前記有機エレクトロルミネッセンス素子パネルは、調色が可能であることを特徴とする請求項２から請求項７までのいずれか一項に記載の照明装置。
【請求項９】
前記壁面が移動体を構成する内壁面であり、前記面状照明部材の発光面が、前記移動体の室内側に凹状に湾曲して配置されていることを特徴とする請求項１から請求項８までのいずれか一項に記載の照明装置。
【発明の詳細な説明】
【技術分野】
【０００１】
本発明は、室内の壁面に具備する照明装置に関し、特に、可撓性を備えた有機エレクトロルミネッセンス素子パネルを面状照明部材として装備し、航空機の室内の照明で、連続的に並列して設置可能な照明装置に関する。
【背景技術】
【０００２】
人間が活動する様々な環境空間においては、各種の照明技術が適用されており、それぞれの環境に対応した照明技術が用いられている。従来から広く用いられている照明方法としては、シーリングライト(天井直付型・天井埋込型)、コードペンダント(天井からのコード吊り下げ型)、ブラケット(壁付型・補助照明)、ダウンライト(天井埋込型の小型照明器具)などを中心とした照明手段であり、照明の用途や適用する環境の広さや形状などに応じて、様々な照明部材が用いられている。【０００３】
近年においては、居住空間、廊下、道路、トンネル、移動体内部など、人間が横方向に移動する動線に応じて、その壁面に連続して横長の照明装置（照明システム）が配置されている。【０００４】
従来から、照明手段としては、白熱灯、水銀灯、蛍光灯、ＬＥＤ等の点光源タイプの照明器具が主に使用されているが、例えば、トンネル内部の壁面に設置されえている水銀灯等の点光源では、ドライバーに対する視覚障害や色温度の違いや輝線等の影響により幻惑を誘発する懸念を抱えている。【０００５】
一方、航空機、電車、バス、自動車、船舶等の移動体の内部に設置する室内照明としては、軽量で、耐震性に優れ、破損や落下がしにくく、たとえ落下しても安全であるという特性が求められている。また、狭い室内空間においては、できるだけ広い面積を、均一に照明するという観点から面状発光体を装備した照明手段がより好ましいとされている。【０００６】
このような要求を考慮した方法として、航空機の客室照明に適合した照明装置が開示されている（例えば、特許文献１参照。）。【０００７】
特許文献１に記載の方法は、面状発光体である有機エレクトロルミネッセンス照明パネルを、航空機の客室の天井部に、機体の軸線に平行な方向に配置して、客室内の照明を行う方法である。特許文献１に記載の方法によれば、従来、客室照明として用いられていた蛍光灯照明やＬＥＤ照明に対し、軽量で消費電力が低く、かつ客室の安全性（低発火性等）が高い有機エレクトロルミネッセンス素子パネルを照明装置として搭載することにより、航空機として高い安全性を確保すると共に、航空機の軽量化と省電力化を達成するものであるとされている。しかしながら、特許文献１に記載の方法では、航空機の壁面に完全に固定して設置する方式であり、発光体が故障した際の交換作業が煩雑となり、取り扱い上、極めて不便である。加えて、特許文献１においては、軽量化、耐震性、耐破損性、耐落下性、及び安全性に関する具体的な態様に関する記載や提案は示されていない。
【先行技術文献】
【特許文献】
【０００８】
【特許文献１】特開２０１１−１４０２６４号公報
【発明の概要】
【発明が解決しようとする課題】
【０００９】
本発明は、上記問題に鑑みてなされたものであり、その解決課題は、軽量化及び薄膜化され、照明部材の装着及び脱着が容易で、耐震性、難燃性及びメンテナンス容易性（交換容易性）に優れ、加えて防音機能も兼ね備えた横長で面状の照明装置を提供することである。
【課題を解決するための手段】
【００１０】
本発明者は、上記問題に鑑み鋭意検討を進めた結果、壁面に設置する溝部を有する壁部材と、前記壁部材の前記溝部に掛止する構造を有する可撓性の面状照明部材から構成され、前記壁部材は前記溝部に複数の電力供給用端子を有し、前記面状照明部材は、前記壁部材の溝部に掛止したときに、前記電力供給用端子より電力を受給することができる位置に、電力受給用端子を有することを特徴とする照明装置により、軽量化及び薄膜化され、発光体の装着及び脱着が容易で、耐震性、難燃性及びメンテナンス容易性（交換容易性）に優れ、加えて防音機能も備えた横長で面状の照明装置を実現することができたものである。【００１１】
すなわち、本発明の上記課題は、下記の手段により解決される。【００１２】
１．壁面に設置する溝部を有する壁部材と、当該壁部材の前記溝部に掛止する構造を有する可撓性の面状照明部材から構成される照明装置であって、前記壁部材は、前記溝部に複数の電力供給用端子を有し、前記面状照明部材は、前記壁部材の溝部に掛止したときに、前記電力供給用端子より電力を受給することができる位置に、電力受給用端子を有することを特徴とする照明装置。【００１３】
２．前記面状照明部材が、発光体として有機エレクトロルミネッセンス素子を具備した有機エレクトロルミネッセンス素子パネルであることを特徴とする第１項に記載の照明装置。【００１４】
３．前記面状照明部材が、少なくとも前記電力受給用端子、可撓性の有機エレクトロルミネッセンス素子パネル及び可撓性の保持部材から構成されていることを特徴とする第１項又は第２項に記載の照明装置。【００１５】
４．前記可撓性の保持部材を構成する材料が、発泡樹脂材料、繊維質材料及び多孔質材料から選ばれる少なくとも１種であることを特徴とする第３項に記載の照明装置。【００１６】
５．前記壁部材が有する複数の電力供給用端子間の距離をＬ１とし、前記面状照明部材が有する電力受給用端子の最大の幅をＬ２としたとき、Ｌ１＞Ｌ２の関係を満たすことを特徴とする第１項から第４項までのいずれか一項に記載の照明装置。【００１７】
６．前記面状照明部材が有する複数の電力受給用端子間の距離をＬ４とし、前記壁部材が有する電力供給用端子の最大の幅をＬ３としたとき、Ｌ４＞Ｌ３の関係を満たすことを特徴とする第１項から第５項までのいずれか一項に記載の照明装置。【００１８】
７．前記有機エレクトロルミネッセンス素子パネルは、非発光状態における波長５５０ｎｍの光透過率Ｔが、６５％以上であることを特徴とする第２項から第６項までのいずれか一項に記載の照明装置。【００１９】
８．前記有機エレクトロルミネッセンス素子パネルは、調色可能であることを特徴とする第２項から第７項までのいずれか一項に記載の照明装置。【００２０】
９．前記壁面が移動体を構成する内壁面であり、前記面状照明部材の発光面が、前記移動体の室内側に凹状に湾曲して配置されていることを特徴とする第１項から第８項までのいずれか一項に記載の照明装置。
【発明の効果】
【００２１】
本発明の上記手段により、軽量化及び薄膜化され、発光体の装着及び脱着が容易で、耐震性、難燃性及びメンテナンス容易性（交換容易性）に優れ、加えて防音機能も備えた横長で面状の照明装置を提供することができる。
【図面の簡単な説明】
【００２２】
【図１Ａ】客室内部に装着した照明装置の一例を示す断面図
【図１Ｂ】客室内部に装着した照明装置を構成する面状照明部材の一例を斜視図
【図２】壁部材の水平方向に連続して面状照明部材を配置した一例を示す斜視図
【図３Ａ】壁部材の水平方向に複数の面状照明部材を配置するパターンの一例を示す模式図
【図３Ｂ】壁部材の水平方向に複数の面状照明部材を配置するパターンの他の一例を示す模式図
【図３Ｃ】壁部材の水平方向に複数の面状照明部材を配置するパターンの他の一例を示す模式図
【図３Ｄ】壁部材の水平方向に複数の面状照明部材を配置するパターンの他の一例を示す模式図
【図４】壁部材の溝部に、面状照明部材を装着させる方法の一例を示す概略断面図
【図５】壁部材の溝部に、面状照明部材を装着させる方法の他の一例を示す概略断面図
【図６】壁部材の電力供給用端子と面状照明部材の電力受給用端子の配置の一例を示す概略断面図
【図７】本発明に適用可能な有機エレクトロルミネッセンス素子の構成の一例を示す概略断面図
【発明を実施するための形態】
【００２３】
本発明の照明装置は、壁面に設置する溝部を有する壁部材と、該壁部材の溝部に掛止する構造を有する可撓性の面状照明部材から構成される照明装置であって、前記壁部材は、前記溝部に複数の電力供給用端子を有し、前記面状照明部材は、前記壁部材の溝部に掛止したときに、前記電力供給用端子より電力を受給することができる位置に、電力受給用端子を有することを特徴とする。この特徴は、請求項１から請求項９に係る発明に共通する技術的特徴である。
【００２４】
本発明の実施態様としては、本発明の目的効果をより発現させることができる観点から、前記面状照明部材が、発光体として有機エレクトロルミネッセンス素子（以下、有機ＥＬ素子ともいう。）を具備した有機エレクトロルミネッセンス素子パネル（以下、有機ＥＬ素子パネルともいう。）であることが、軽量化及び薄膜化され、耐震性、難燃性に優れた照明装置を得ることができる観点から好ましい。
【００２５】
更には．前記面状照明部材が、少なくとも前記電力受給用端子、可撓性の有機エレクトロルミネッセンス素子パネル及び可撓性の保持部材から構成されている態様であることが好ましい。
【００２６】
また、前記可撓性の保持部材が、発泡樹脂材料、繊維質材料及び多孔質材料から選ばれる少なくとも１種であることが、壁部材の溝部に対し、面状発光部材の装着及び脱着が容易となり、かつ防音機能も付与することができる観点から好ましい。
【００２７】
また、前記壁部材が有する複数の電力供給用端子間の距離をＬ１とし、前記面状照明部材が有する電力受給用端子の最大の幅をＬ２としたとき、Ｌ１＞Ｌ２の関係を満たすこと、あるいは前記面状照明部材が有する複数の電力受給用端子間の距離をＬ４とし、前記壁部材が有する電力供給用端子の最大の幅をＬ３としたとき、Ｌ４＞Ｌ３の関係を満たすことが、溝部に設けた電力供給用端子と面状照明部材が有する電力受給用端子間での不正なショートを防止することができる観点から好ましい。
【００２８】
また、前記有機エレクトロルミネッセンス素子パネルは、非発光状態における波長５５０ｎｍの光透過率Ｔが６５％以上であること、あるいは調色可能である構成とすることにより、消灯時の有機エレクトロルミネッセンス素子パネルの表面色、あるいは光透過性の有機エレクトロルミネッセンス素子パネルの基板の色を、内壁材料と近似の色調とすることにより、消灯時に照明装置の存在を意識させることなく、室内壁面を形成することができる観点から好ましい態様である。
【００２９】
また、前記壁面が移動体を構成する内壁面であり、前記面状照明部材の発光面が、該移動体の室内側に凹状に湾曲して配置されている構成であることが好ましい。
【００３０】
本発明の照明装置は、加えて、下記に示す様な様々な技術的特徴や利点を備えている。
【００３１】
１）本発明の照明装置は、面状発光部材を壁部材の溝部にはめ込んで固定する形態であるため、振動などにより脱落しにくい特性を有しており、航空機の離着陸時等で過度の振動を受けた場合でも、脱落することがない高い安全性を備えている。
【００３２】
２）同一形状から構成される複数個の本発明の照明装置を、横方向に連続して配置することにより、所望の長さの照明装置を、横長の形態で自在に設けることができる。
【００３３】
３）本発明に係る面状照明部材は、フレキシブルで可撓性を有する薄膜の有機ＥＬ素子パネルと、フレキシブルで可撓性を有する保持部材（具体的には、多孔質材料、発泡樹脂材料、繊維質材料等の軽量化された材料）から構成されており、軽量で、かつ柔軟性を有している。また、上述のように、保持部材を多孔質材料、発泡樹脂材料、繊維質材料等の材料で構成することにより、室内内部の騒音の吸収効果や、外部からの遮音効果を発揮させることができる。
【００３４】
４）本発明に係る面状照明部材において、有機ＥＬ素子パネル及び保持部材共に、難燃性あるいは不燃性の材料で構成することができ、火災等に対する防火性を付与させることができる。
【００３５】
５）本発明に係る面状発光部材は、壁部材の溝部にはめ込んで固定する構造であり、可撓性を備えた面状発光部材の取り付けや取り外しが容易となり、また、有機ＥＬ素子パネルの発光不良が生じた場合にも、すみやかに交換することができる。
【００３６】
６）本発明の照明装置では、横方向に連続して多数の面状照明部材を配置することができるため、面状照明部材の形状、有機ＥＬ素子パネルの発光色（照明光）や明るさを自由に調整することができ、バリエーションに富んだ室内照明を演出することができる。
【００３７】
７）本発明の照明装置は面状照明部材であり、例えば、トンネル等に設置した場合でも、ドライバーに対し優しい光源であり、視覚障害等、運転に支障をきたすことがない。
【００３８】
以下、本発明とその構成要素、及び本発明を実施するための形態・態様について、図を交えて詳細な説明をする。なお、本発明において示す「〜」は、その前後に記載される数値を下限値及び上限値として含む意味で使用する。
【００３９】
《照明装置》
以下に、本発明の照明装置の実施態様を、図を交えて説明する。
【００４０】
図１Ａは、室内に装着させた照明装置の一例を示す断面図であり、図１Ｂは本発明の照明装置が具備する面状照明部材の構成の一例を斜視図である。
【００４１】
図１Ａで示すように、本発明の照明装置は、壁面を構成する壁部材１と、面状照明部材３から構成され、面状照明部材３は、壁部材１に対し、装着及び脱着を自由に行うことができる構造となっている。
【００４２】
壁部材１は、上下にそれぞれ溝部Ｇを有しており、それぞれの溝部Ｇには、複数スプリング方式の接点である電力供給用端子２が、必要数配置されている。これらの電力供給用端子２は、電力供給用電源（不図示）に接続されている。電力供給用端子２としては、後述するように、長さ方向に対し、陽極と陰極が交互に配置され、かつ、上下の電力供給用端子２の構成としては、対向する位置に異なる極の電極が配置されている方式が好ましい。
【００４３】
図１Ａ及び図１Ｂに示す面状照明部材３は、主には、発光体である可撓性の有機ＥＬ素子パネル４と、当該有機ＥＬ素子パネル４を固定及び保持するための同じく可撓性の保持部材５と、有機ＥＬ素子パネル４に電力を供給すするための電力受給用端子７（７Ａ、７Ｂ）から構成され、有機ＥＬ素子パネル４と電力受給用端子７とは、保持部材５の内部で、配線６により接続されている。面状照明部材３では、電力受給用端子７は、長さ方向に対し、陽極（例えば、電力受給用端子７Ａとする。）と陰極（例えば、電力受給用端子７Ｂとする。）が交互に配置され、かつ、上下の電力受給用端子７も、対向する位置には異なる極性の電極が配置されている。
【００４４】
面状照明部材３を、溝部Ｇを介して壁部材１に装着した際には、壁部材１に設けられた電力供給用端子２と、面状照明部材３が有する電力受給用端子７とが接続され、電力供給用電源（不図示）より電力が有機ＥＬ素子パネル４に供給されて、面発光する。
【００４５】
壁部材１を構成する材料としては、特に制限はなく、それぞれ壁面を構成するのに最適な材料を選択することができる。
【００４６】
例えば、トンネルの内壁や道路壁面としては、後述するプラスチック材料の他、石膏ボード、コンクリート、モルタル、レンガ、タイル、陶磁器等を適宜選択して用いることができる。壁部材そのものには、特に、可撓性を付与させる必要はない。
【００４７】
一方、室内の壁や、移動体である航空機、電車、バス、自動車、船舶等の内壁を構成する材料としては、主に、防火安全上の観点から、難燃性あるいは不燃性のプラスチック材料が使用され、例えば、ポリエチレン（ＰＥ樹脂）、高密度ポリエチレン樹脂、中密度ポリエチレン樹脂、低密度ポリエチレン樹脂、ポリプロピレン（ＰＰ）樹脂、ポリ塩化ビニル（ＰＶＣ）樹脂、ポリ塩化ビニリデン樹脂、ポリスチレン（ＰＳ）樹脂、ポリ酢酸ビニル（ＰＶＡｃ）樹脂、テフロン（登録商標）（ポリテトラフルオロエチレン、ＰＴＦＥ）、ＡＢＳ樹脂（アクリロニトリルブタジエンスチレン樹脂）、ＡＳ樹脂、アクリル樹脂（ＰＭＭＡ）、ポリアミド（ＰＡ）樹脂、ナイロン、ポリアセタール（ＰＯＭ）樹脂、ポリカーボネート（ＰＣ）樹脂、変性ポリフェニレンエーテル（ｍ−ＰＰＥ、変性ＰＰＥ、ＰＰＯ）樹脂、ポリブチレンテレフタレート（ＰＢＴ）樹脂、ポリエチレンテレフタレート（ＰＥＴ）樹脂、グラスファイバー強化ポリエチレンテレフタレート（ＧＦ−ＰＥＴ）樹脂、環状ポリオレフィン（ＣＯＰ）樹脂、ポリフェニレンスルファイド（ＰＰＳ）樹脂、ポリテトラフロロエチレン（ＰＴＦＥ）樹脂、ポリスルホン樹脂、ポリエーテルサルフォン樹脂、非晶ポリアリレート樹脂、液晶ポリマー、ポリエーテルエーテルケトン樹脂、熱可塑性ポリイミド（ＰＩ）樹脂、ポリアミドイミド（ＰＡＩ）樹脂等を用いることができる。
【００４８】
なお、面状照明部材３を構成する有機ＥＬ素子パネル４及び保持部材５の詳細な構成については、後述する。
【００４９】
次いで、本発明の照明装置における面状照明部材３の配置パターンについて説明する。
【００５０】
図２は、壁部材の水平方向に連続して面状照明部材３を配置した一例を示す斜視図である。
【００５１】
図２に記載の面状照明装置では、室内空間において凹型に湾曲した壁部材１の溝部に、有機ＥＬ素子パネル４と保持部材５とで構成されている面状照明部材３を、横方向に３枚連続して掛止及び配置した構成を示してある。この時、電力受給用端子７は、長さ方向に対し、上段側に陽極７Ａと陰極７Ｂとを交互に配置し、かつ、下段側にも、電力受給用端子７（７Ａ及び７Ｂ）を、上段の電力受給用端子７と対向する位置に、異なる極性の電極が配置されている。
【００５２】
図３Ａ〜図３Ｄは、それぞれ壁部材の水平位置の方向に複数の面状照明部材を配置する様々なパターン例を示す模式図である。
【００５３】
図３Ａに示すパターンは、前記図２で説明したのと同様の配置方法であり、壁部材１の溝部の横方向に対し、複数の長方形の４接点型の面状照明部材３Ａを連続配置して照明装置を形成している例である。この配置パターンでは、壁部材１の溝部に設けられている電力供給用端子２及び面状照明部材３Ａに設けられている電力受給用端子７から構成される電力供需給端子対１０（陽極の端子対を１０Ａ、陰極の端子対を１０Ｂと称す。）が、上段側に陽極の端子対１０Ａと陰極の端子対１０Ｂとが交互に配列され、下段側にも上段側の電力供需給端子対１０Ａ、１０Ｂに対向する位置に、それぞれ反対の極性を有する端子対が設けられている。このような構成とすることにより、面状照明部材３Ａの天地が逆転して配置されても、特に支障がない構成とすることができる。
【００５４】
また、例えば、上段側の全てに陽極端子対１０Ａを配置し、下段側には全て陰極端子対１０Ｂを配置する形態をとることもできるが、このような配置である場合には、面状照明部材３Ａの配置方向としては、一方向に限定されるため、逆配置では挿入することができないような対応が必要となる。従って、図３Ａで示したような上下段で陽極の端子対１０Ａと陰極の端子対１０Ｂとが交互に配列されている形態が好ましい。
【００５５】
図３Ｂ及び図３Ｃでは、４接点型の面状照明部材３の形態として、ひし形の４接点型の面状照明部材３Ｂ、あるいは、端部が半円形の形状を有する４接点型の面状照明部材３Ｃを、それぞれ水平方向に連続して配置した例を示してある。このような形態のバリエーションを付与することにより、目的に応じた様々なデザイン性を発揮することができる。
【００５６】
図３Ｄに示す面状照明部材３の配列は、図３Ａで示したのと同様の長方形の４接点型の面状照明部材３Ａと、例えば、その半分の面積からなる２接点型の面状照明部材３Ｄとを交互に配列した例を示してある。このような特性の異なる面状照明部材３Ａ及び３Ｄを配列させることにより、発光パターンや色調（発光色）の配置に変化を持たせることができる。
【００５７】
本発明の照明装置においては、面状照明部材を構成する有機ＥＬ素子パネル及び保持部材が共に可撓性の材料で構成され、壁部材の溝部に対し、装着及び脱着が容易に行うことができることが、特徴の一つである。
【００５８】
図４は、本発明に係る壁部材の溝部に、本発明に係る面状照明部材を装着させる手順の一例を示す概略断面図である。
【００５９】
図４に記載のステップ（ａ−１）及びステップ（ａ−２）で示す装着方法１は、壁部材１の溝部Ｇが比較的浅い構造である場合の装着方法の一例を示している。
【００６０】
図４に示すステップ（ａ−１）では、本発明に係る面状照明部材３が、前述のように可撓性の保持部材５と、可撓性の有機ＥＬ素子パネル４と、電力供給用端子７で構成され、全体として可撓性を有する面状照明部材３の上下より圧力を加えて、凹型に撓ませながら、矢印２０の方向に押し付け、図４に記載のステップ（ａ−２）に示すように、比較的浅い溝Ｇに面状照明部材３のそれぞれの端部を挿入して、壁部材１に具備した電力供給量端子２と、面状照明部材３が有する電力供給用端子７が接するようにして、壁部材１に装着する方法である。
【００６１】
図４に記載のステップ（ｂ−１）及びステップ（ｂ−２）で示す装着方法２では、比較的深い溝部Ｇを有する壁部材１に、本発明に係る面状照明部材３を装着する方法の一例を示してある。
【００６２】
はじめに、矢印２１で示すように、壁部材１の上部にある溝部Ｇに、面状照明部材３の上端部を挿入し、次いで、面状照明部材３の全体を矢印２２の方向に力を加えて圧縮させながら、壁部材１の下部の溝部Ｇに、面状照明部材３の下端部を挿入して、図４のステップ（ｂ−２）で示すような形態で装着させる方法である。
【００６３】
図５は、壁部材の溝部に、面状照明部材を装着させる方法の他の一例を示す概略断面図である。
【００６４】
図５に示す面状照明部材３の壁部材１への装着方法としては、ステップ（ａ）に示すように、はじめに、右側から見て凹状に湾曲している面状照明部材３の上端部を、壁部材１の溝部Ｇに挿入する（矢印２３の方向。）。次いで、ステップ（ｂ）に示すように、矢印２４の方向に力を加えて、面状照明部材３を凸状態に湾曲させた後、矢印２５の方向に面状照明部材３の下端部を移動し、次いでステップ（ｃ）に示すように、面状照明部材３を凸状態に湾曲した状態で、面状照明部材に上下より圧力を加えながら、下端部を壁部材１の下端の溝部Ｇに装着し、矢印２６の方向より力を加えて、最後に、ステップ（ｄ）に示すように、面状照明部材３を凸状態から凹状態に変換して、壁部材１に装着させる。
【００６５】
本発明においては、本発明の照明装置を構成する壁部材１の電力供給用端子と、面状照明部材が具備する電力需給用端子の構成としては、下記で規定する２つの条件のいずれかを満たすことが、電力供給端子の誤接触による短絡（ショート）等の電気的なトラブルの発生を防止することができる観点から好ましい。
【００６６】
第１で規定する条件としては、壁部材１が有する複数の電力供給用端子２間の距離（間隔）をＬ１とし、面状照明部材３が有する電力受給用端子７の最大の幅をＬ２としたとき、下式（１）で規定する関係を満たすことが好ましい。
【００６７】
式（１）
Ｌ１＞Ｌ２
更に具体的には、面状照明部材３が有する電力受給用端子７の最大の幅Ｌ２が、壁部材１が有する電力供給用端子２間の距離Ｌ１の０．３〜０．９倍の範囲であることが好ましく、更に好ましくは、０．４５〜０．７５倍の範囲内である。
【００６８】
また、第２で規定する条件としては、面状照明部材３が有する複数の電力受給用端子７間の距離をＬ４とし、壁部材１が有する電力供給用端子２の最大の幅をＬ３としたとき、下式（２）で規定する関係を満たすことが好ましい。
【００６９】
式（２）
Ｌ４＞Ｌ３
更に具体的には、壁部材１が有する電力供給用端子２の最大の幅Ｌ３が、面状照明部材３が有する複数の電力受給用端子７間の距離Ｌ４の０．３〜０．９倍の範囲であることが好ましく、更に好ましくは、０．４５〜０．７５倍の範囲内である。
【００７０】
上記式（１）又は式（２）で規定する条件を満たすことにより、壁部材１に面状照明部材３を装着した際に、異なる電極間での不正接触によるショート等の故障を防止する。
【００７１】
上記で規定する条件等について、更に図を用いて説明する。
【００７２】
図６は、壁部材の電力供給用端子と面状照明部材の電力受給用端子の配置の一例を示す概略断面図である。
【００７３】
図６に示す照明装置の構成としては、前記図３Ａで示した配置を一例として説明する。
【００７４】
図６で示す照明装置は、先の図２及び図３Ａで説明したのと同様の配置パターンで、複数の長方形の４接点型の面状照明部材３を連続配置して照明装置を形成している構成例について、正面から観察した際の概略断面図として示してある。
【００７５】
図６において、壁部材１には、電力供給用端子２が、一枚の面状照明部材３の２箇所に、それぞれ上下に一対配置されている。一方、面状照明部材３は、保持部材５上に有機ＥＬ素子パネル４が貼付されており、上部及び下部には、それぞれ陽極及び陰極から構成される一対の電力受給用端子７が２箇所に設けられ、配線（不図示）を介して、有機ＥＬ素子パネル４が構成する電極（陽極電極及び陰極電極）に接続されている。
【００７６】
また、壁部材１の正確な位置に、面状照明部材３を配置させるため、壁部材１側には雌形状の掛止ピン受容部８Ａ及び９Ａを有し、面状照明部材３にはアンカー（錨）として機能する掛止ピン８Ｂ及び９Ｂをそれぞれ上下に有している。このような掛止ピン機構を設けることにより、面状照明部材３を正確な位置に配置することができ、壁部材１の電力供給用端子２と面状照明部材３の電力受給用端子７を確実に接触させることができる。
【００７７】
この時、面状照明部材３の誤配置を防止する観点からは、例えば、陽極近傍の掛止ピン及び掛止ピン受容部（例えば、８Ａと８Ｂで、半円形の形状）と、陰極近傍の掛止ピン及び掛止ピン受容部（例えば、９Ａと９Ｂで、矩形の形状）とで異なる形状とすることが好ましい。
【００７８】
図６において、壁部材１を構成する一対の電力供給用端子２の電極間隔であるＬ１が、面状照明部材３を構成しいている電力受給用端子７の幅の最大値（基本的には、電力受給用端子７の幅は、同一幅で設計されるが、異なる幅で電力受給用端子７を形成する場合には、その最大値とする。）をＬ２としたとき、Ｌ１＞Ｌ２の関係を満たすことが好ましい。これは、例えば、電力受給用端子７間に、電力供給用端子２が配置された場合であっても、電力供給用端子２が、同時に陽極及び陰極を構成する一対の電力受給用端子７と接触することがないことを表している。
【００７９】
同様に、面状照明部材３を構成しいている電力受給用端子７の電極間隔をＬ４とし、壁部材１を構成する電力供給用端子２の電極幅の最大値をＬ３としたとき、Ｌ４＞Ｌ３の関係を満たすことが好ましい。これは、例えば、電力供給用端子２間に、電力受給用端子７が配置された場合であっても、電力受給用端子７が、同時に陽極及び陰極を構成する一対の電力供給用端子２と接触することがないことを表している。
【００８０】
《面状照明部材》
次いで、面状照明部材を構成する有機ＥＬ素子パネル、保持部材及び電力受給用端子（電極）の詳細について説明する。
【００８１】
〔有機ＥＬ素子パネル〕
（有機ＥＬ素子パネルの構成）
本発明に係る有機ＥＬ素子パネルを構成する有機ＥＬ素子は、非発光状態において、波長５５０ｎｍにおける光透過率ＴＣが、６５％以上であることが好ましい。
【００８２】
本発明でいう光透過率ＴＣとは、波長極大が５５０ｎｍの光で測定したときの透過率をいう。光透過率ＴＣは通常の分光光度計（例えば、日立製作所製Ｕ−３３００など）を用いて容易に測定することができる。
【００８３】
本発明に係る有機ＥＬ素子の非発光状態での光透過率とは、有機ＥＬ素子を構成する基板、一対の面電極、有機発光層を含む有機機能層、封止層全体の波長５５０ｎｍにおける光透過率を意味しており、それを実現するためには、これらの各構成要素の光透過率が高いこと、とりわけ通常では低い光透過性である面電極をより高い光透過性で設計すること、すなわち陽極、陰極、必要に応じて設けられる中間電極のすべてが、光透過率が高いことが、本発明で規定する光透過率ＴＣを実現する上では重要な要件となってくる。加えて、有機発光層などの有機機能層を積層するに際し、光透過率が高くなるように工夫することも好ましい。
【００８４】
有機ＥＬ素子パネルを構成する基板及び封止層としては、ガラス、石英、プラスチックフィルムのように、光透過率が高いものを用いることが好ましい。有機ＥＬ素子パネルの各構成部材の光透過性を高めることによって、光透過率ＴＣを６５％以上とすることが可能となるが、更には、光透過率ＴＣを７０〜９０％の範囲内に設計することが好ましい。
【００８５】
また、本発明に係る有機ＥＬ素子パネルにおいては、調色可能であることが、例えば、移動体である航空機の客室内部に、擬似化された機外の景色の色を再現することができる等の観点から好ましい態様である。
【００８６】
本発明でいう調色可能とは、所望の情報に従って有機ＥＬ素子パネルの発光色を、任意の色で発光させることができ、光の三原色の他に、各種中間色の発光が可能であることを意味する。上記条件を実現する有機ＥＬ素子パネルは、白色発光性を備えた有機ＥＬ素子パネルで、発光性化合物として、青色発光性化合物、緑色発光性化合物及び赤色発光性化合物を含有する発光層を有する有機ＥＬ素子を具備した有機ＥＬ素子パネルであることが好ましい。
【００８７】
有機ＥＬ素子の調色を可能とするための具体的な手段は公知であり、それらを適用することができる。
【００８８】
例えば、
１）有機ＥＬ素子が面方向に２次元配列された異なる発光色の画素を有し、それらの画素の発光条件をコントロールすることにより、有機ＥＬ素子の発光色を調色する方法、
２）２つ以上の異なる発光色の発光層を積層し、電流や電圧の駆動を調整することによって発光中心を移動させて、発光色をコントロールする方法、
３）２つ以上の異なる発光色の発光層を積層し、該発光層の中間に、エレクトロクロミック素子、フォトクロミック素子及びサーモクロミック素子を設けて調整し、発光色をコントロールする方法、
４）２つ以上の異なる発光色の発光層を有する発光ユニットを複数ユニット分積層し、該発光ユニット間に中間電極を設け、該発光ユニットごとに駆動して、発光色をコントロールする方法、
５）光透過率の高い２以上の有機ＥＬ素子を重ねて設置し、有機ＥＬ素子毎に発光駆動を調整して発光色をコントロールする方法、
などが挙げられ、これらの方法を単独、あるいは適宜組み合わせることにより、調色可能な有機ＥＬ素子を得ることができる。
【００８９】
有機ＥＬ素子の主な構成は、基板上に対となる面電極（陽極、陰極）を有し、当該面電極間に有機発光層を含む有機機能層を有して構成される。代表的な有機機能層の構成としては、陽極側から、正孔注入層、正孔輸送層、発光層、電子輸送層、電子注入層などが挙げられるが、使用する構成材料の特性に応じて、２層を１つの複合層とすることにより、層数を減らしてもよいし、新たな機能層を追加しても良い。有機ＥＬ素子の構成については、例えば、「有機ＥＬハンドブック」（監修：筒井哲夫；リアライズ理工センター出版）などに記載されている構成が参照される。
【００９０】
図７は、本発明に係る有機ＥＬ素子パネルに具備する有機ＥＬ素子の構成の一例を示す概略断面図である。
【００９１】
図７において、有機ＥＬ素子４は、光透過性を有するプラスチックフィルムやガラスで構成されている支持基板１１上に、例えば、陽極として透明電極１２が設けられ、その上に有機機能層ユニットＣが形成されている。有機機能層ユニットＣは、有機発光層１４の他に、例えば、正孔輸送層、正孔阻止層、電子輸送層等の複数の有機機能層１３、１５から構成されている。この有機機能層ユニットＣ上に、例えば、陰極として透明電極１６が設けられ、最後に最表層として封止部材（封止層）が設けられている。
【００９２】
従来の有機ＥＬ素子においては、陽極として構成される透明電極１２としては、例えば、ある程度の光透過性を有するインジウム−スズの複合酸化物（以下、ＩＴＯと略記。）が用いられていた。一方、陰極である透明電極１６としては、アルミニウム等の金属蒸着膜が用いられているが、これらの陰極材料は、光透過性が乏しく、このような構成の有機ＥＬ素子では、光透過率が６０％以下であり、図柄発光表示装置に適用する有機ＥＬ素子の構成部材として好ましくなかった。
【００９３】
本発明では、図７に示す透明電極１２又は透明電極１６のいずれか一方、好ましくは両方の透明電極を、光透過性にきわめて優れた部材、より詳しくは、厚さが４．０〜１０ｎｍの範囲内にある薄膜銀電極で構成することにより、波長５５０ｎｍにおける光透過率ＴＣが、６５％以上となる有機ＥＬ素子パネルを実現することができ、室内の照明部材への適用を可能としたものである。
【００９４】
なお、図７で示した有機ＥＬ素子パネル４の層構造は、単に好ましい有機ＥＬ素子の構成の一例を示したものであり、本発明はこれらに限定されない。例えば、本発明に係る有機ＥＬ素子パネル４の構成としては、下記（ｉ）〜（ｖ）の層構造を有していてもよい。
【００９５】
（ｉ）支持基板／陽極／発光層／電子輸送層／陰極／封止用接着剤／封止部材
（ii）支持基板／陽極／正孔輸送層／発光層／電子輸送層／陰極／封止用接着剤／封止部材
（iii）支持基板／陽極／正孔輸送層／発光層／正孔阻止層／電子輸送層／陰極／封止用接着剤／封止部材
（iv）支持基板／陽極／正孔輸送層／発光層／正孔阻止層／電子輸送層／陰極バッファー層／陰極／封止用接着剤／封止部材
（ｖ）支持基板／陽極／陽極バッファー層／正孔輸送層／発光層／正孔阻止層／電子輸送層／陰極バッファー層／陰極／封止用接着剤／封止部材
〔有機ＥＬ素子の有機機能層〕
次いで、本発明に係る有機ＥＬ素子の各構成部材について説明する。
【００９６】
（１）注入層
本発明に係る有機ＥＬ素子においては、注入層は必要に応じて設けることができる。注入層としては電子注入層と正孔注入層があり、陽極と発光層又は正孔輸送層の間、及び陰極と発光層又は電子輸送層との間に存在させてもよい。
【００９７】
本発明でいう注入層とは、駆動電圧低下や発光輝度向上のために電極と有機機能層間に設けられる層で、「有機ＥＬ素子とその工業化最前線（１９９８年１１月３０日エヌ・ティー・エス社発行）」の第２編第２章「電極材料」（１２３〜１６６頁）にその詳細が記載されており、正孔注入層と電子注入層とがある。
【００９８】
正孔注入層としては、例えば、特開平９−４５４７９号公報、同９−２６００６２号公報、同８−２８８０６９号公報等にもその詳細が記載されており、正孔注入層に適用可能な正孔注入材料としては、トリアゾール誘導体、オキサジアゾール誘導体、イミダゾール誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体等を含むポリマーやアニリン系共重合体、ポリアリールアルカン誘導体、又は導電性ポリマーが挙げられ、好ましくはポリチオフェン誘導体、ポリアニリン誘導体、ポリピロール誘導体であり、さらに好ましくはポリチオフェン誘導体である。
【００９９】
本発明に係る有機ＥＬ素子においては、電子注入層は、設けても、あるいは設けなくても、いずれであっても構わない。本発明で適用可能な電子注入層としては、例えば、特開平６−３２５８７１号公報、同９−１７５７４号公報、同１０−７４５８６号公報等にその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。本発明においては、上記バッファー層（注入層）はごく薄い膜であることが望ましく、フッ化カリウム、フッ化ナトリウムが好ましい。その膜厚は０．１ｎｍ〜５μｍ程度、好ましくは０．１〜１００ｎｍ、さらに好ましくは０．５〜１０ｎｍ、最も好ましくは０．５〜４ｎｍである。
【０１００】
（２）正孔輸送層
本発明に係る正孔輸送層を構成する正孔輸送材料としては、上記正孔注入層で適用するのと同様の化合物を使用することができるが、さらには、ポルフィリン化合物、芳香族第３級アミン化合物及びスチリルアミン化合物、特に芳香族第３級アミン化合物を用いることが好ましい。
【０１０１】
本発明において、正孔輸送層は、湿式塗布法（例えば、スピンコート法、キャスト法、インクジェット法を含む印刷法等）を用いて、塗布、乾燥することにより形成することができる。また、その他の正孔輸送層の形成方法としては、上記正孔輸送材料を、例えば、真空蒸着法、ラングミュア−ブロジェット法（ＬＢ法）等の公知の方法により、薄膜化することにより形成することができる。
【０１０２】
（３）電子輸送層
本発明に係る電子輸送層は、電子を輸送する機能を有する材料からなり、広い意味で電子注入層、正孔ブロック層も電子輸送層に含まれる。電子輸送層は単層で用いてもよいし、複数層設けることもできる。例えば、正孔ブロック層／電子輸送層の組み合わせとして用いることができる。
【０１０３】
電子輸送層は、単層、あるいは複数層とする場合は、発光層に対して陰極側に隣接する電子輸送層に用いられる電子輸送材料（正孔ブロック材料を兼ねる）としては、陰極より注入された電子を発光層に伝達する機能を有していればよく、その材料としては従来公知の化合物の中から任意のものを選択して用いることができ、例えば、フルオレン誘導体、カルバゾール誘導体、アザカルバゾール誘導体、オキサジアゾール誘導体、トリアゾール誘導体、シロール誘導体、ピリジン誘導体、ピリミジン誘導体、８−キノリノール誘導体等の金属錯体等が挙げられる。
【０１０４】
（４）発光層
本発明に係る有機ＥＬ素子を構成する発光層は、電極又は電子輸送層及び正孔輸送層から注入されてくる電子及び正孔が再結合して発光する層であり、発光する部分は発光層の層内であっても発光層と隣接層との界面であってもよい。
【０１０５】
発光層は、主にドーパント化合物とホスト化合物とが含有されて構成されている。
【０１０６】
以下、ホスト化合物及びドーパント化合物についてそれぞれ説明する。
【０１０７】
〈４．１〉ホスト化合物
本発明に係る有機ＥＬ素子の発光層に含有されるホスト化合物としては、室温（２５℃）におけるリン光発光のリン光量子収率が０．１未満の化合物が好ましい。さらに好ましくはリン光量子収率が０．０１未満である。また、非発光性有機材料にはホスト化合物を含んでいてもよい。
【０１０８】
公知のホスト化合物と、後述する発光材料とを、複数種用いることにより異なる発光色を得ることが可能となり、これらを混合することにより、任意の発光色、例えば、白色発光等を表現することができる。
【０１０９】
公知のホスト化合物の具体例としては、以下の文献に記載されている化合物が挙げられる。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等が挙げられる。
【０１１０】
〈４．２〉発光材料
本発明に係る発光材料（発光ドーパント）としては、蛍光性化合物、リン光発光材料（リン光性化合物、リン光発光性化合物、リン光性ドーパント化合物等ともいう。）を用いることができるが、リン光性ドーパント化合物であることが好ましい。
【０１１１】
リン光発光材料は、有機ＥＬ素子の発光層に使用される公知のものの中から適宜選択して用いることができるが、好ましくは元素の周期表で８〜１０族の金属を含有する錯体系化合物であり、さらに好ましくはイリジウム化合物、オスミウム化合物、又は白金化合物（白金錯体系化合物）、希土類錯体であり、中でも最も好ましいのはイリジウム化合物である。
【０１１２】
（５）透明電極
本発明に係る有機ＥＬ素子においては、光透過率ＴＣを６５％以上とするには、光透過率の高い面電極（透明電極）を適用することが重要である。光透過性の高い面電極としては、一般に透明電極として知られているものを利用できる。例えば、インジウム−スズの複合酸化物（ＩＴＯ）、酸化インジウム亜鉛（ＩＺＯ）などの金属酸化物電極、例えばポリチオフェン、ポリアニリンなどの導電性ポリマー電極、あるいは銀薄膜、銅薄膜など金属薄膜電極などがあり、１つの透明電極の光透過率ＴＣとして、好ましくは８０％以上となるように設計することによって達成できる。
【０１１３】
一方で、透明電極には高い導電性が求められる。従来の透明電極の中には、光透過率を高めるために薄く形成すると、導電性が不足してしまうものが多い。本発明においては、高い光透過率を有し、かつ高い導電性を両立できる透明電極として、以下に説明する薄膜銀電極を用いることが好ましい。
【０１１４】
本発明に係る透明電極は、表面比抵抗値としては、０．３〜２００Ω／□の範囲であることが好ましく、０．５〜１００Ω／□の範囲であることが更に好ましく、１〜５０Ω／□の範囲であることが特に好ましい。表面比抵抗は、例えば、ＪＩＳ  Ｋ６９１１、ＡＳＴＭ  Ｄ２５７、等に準拠して測定することができ、また市販の表面抵抗率計を用いて簡便に測定することができる。
【０１１５】
〈薄膜銀電極〉
薄膜銀電極は、銀又は銀を主成分とした合金を用いて構成された層である。このような薄膜銀電極層の成膜方法としては、塗布法、インクジェット法、コーティング法、ディップ法などのウェットプロセスを用いる方法や、蒸着法（抵抗加熱、ＥＢ法など）、スパッタ法、ＣＶＤ法などのドライプロセスを用いる方法などが挙げられる。なかでも蒸着法が好ましく適用される。また必要に応じて、成膜後に高温アニール処理等を行ったものであっても良い。
【０１１６】
薄膜銀電極層を構成する銀（Ａｇ）を主成分とする合金は、銀マグネシウム（Ａｇ・Ｍｇ）、銀銅（Ａｇ・Ｃｕ）、銀パラジウム（Ａｇ・Ｐｄ）、銀パラジウム銅（Ａｇ・Ｐｄ・Ｃｕ）、銀インジウム（Ａｇ・Ｉｎ）などが挙げられる。これら、銀又は銀を主成分とした合金の層が、必要に応じて複数の層に分けて積層された構成であっても良い。
【０１１７】
さらにこの薄膜銀電極層は、膜厚が４〜１０ｎｍの範囲内にあることによって、光透過率が高く、導電性も確保できるので、有機ＥＬ素子に有効に適用することができる。本発明では、特に、膜厚が４〜９ｎｍの範囲内にあることが好ましい。膜厚が１０ｎｍ以下であれば、光の吸収又は反射を抑制することができ、透明電極としての所望の透過率を得ることができる。また、膜厚が４ｎｍ以上であれば、十分な導電性を得ることができると共に、連続的な薄膜の安定した形成が可能となる。本発明においては、有機ＥＬ素子の面電極、すなわち陽極、陰極、必要に応じて設けられる中間電極の少なくとも１つが、薄膜銀電極であることが好ましく、すべての電極が薄膜銀電極であることがより好ましい。
【０１１８】
前記薄膜銀電極層は、窒素原子を含んだ化合物を有する下地層の上に、銀又は銀を主成分とした合金を、前記の方法で形成することが好ましい。電極層を構成する銀原子が下地層を構成する窒素原子を含んだ化合物と相互作用し、銀原子の下地層表面においての拡散距離が減少し、銀の凝集が抑えられる。このため、一般的には核成長型（Ｖｏｌｕｍｅｒ−Ｗｅｂｅｒ：ＶＷ型）での膜成長により島状に孤立し易い銀薄膜が、単層成長型（Ｆｒａｎｋ−ｖａｎ  ｄｅｒ  Ｍｅｒｗｅ：ＦＭ型）の膜成長によって成膜されるようになる。したがって、薄い膜厚でありながらも、均一な膜厚の電極層が得られるようになる。この結果、より薄い膜厚で、高い光透過率を保ちつつも、導電性が確保された透明電極とすることができる。
【０１１９】
（６）支持基板
本発明に係る有機ＥＬ素子に用いることのできる支持基板としては、ガラス、樹脂フィルム等の透明な支持基板を用いることはできるが、可撓性を付与させる観点からは、樹脂フィルムが好ましい。
【０１２０】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名、ＪＳＲ社製）あるいはアペル（商品名、三井化学社製）といったシクロオレフィン系樹脂等が挙げられる。
【０１２１】
〔保持部材〕
本発明の照明装置を構成する保持部材５としては、可撓性を備えた保持部材であることが好ましく、更には、保持部材としては、発泡樹脂材料、繊維質材料及び多孔質材料から選ばれる少なくとも１種であることが好ましい。本発明に係る保持部材は、有機ＥＬ素子を保持して、可撓性の面状照明部材を構成すると共に、壁面に配置して防音材料としても有効に機能させることができる。
【０１２２】
（発泡樹脂材料）
本発明でいう発泡樹脂材料とは、発泡プラスチック（Ｆｏａｍｅｄ  ｐｌａｓｔｉｃｓ）ともいい、合成樹脂中にガスを細かく分散させ、発泡状（フォーム状）又は多孔質形状に成形された材料であり、固体である樹脂材料と気体の不均一分散系を構成している。
【０１２３】
本発明に係る保持部材に適用可能な発泡樹脂材料としては、特に制限はないが、例えば、軟質ポリウレタンフォーム、硬質ポリウレタンフォーム、ポリスチレンフォーム、ポリエチレンフォーム、ポリプロピレンフォーム、ＥＶＡ（エチレン−酢酸ビニル共重合体）架橋発泡体、ＰＥＴ（ポリエチレンテレフタレート）樹脂発泡体、フェノールフォーム、シリコーンフォーム、ポリ塩化ビニルフォーム、ユリアフォーム、アクリルフォーム、ポリイミドフォーム、ＥＰＤＭ（エチレンプロピレンジエンゴム）フォーム等を挙げることができる。
【０１２４】
これらの発泡プラスチックの製造方法としては、気相（空隙部）を発生させる方法で分類すると、化学反応を利用して気相を形成する化学反応ガス活用法、沸点が低い溶剤を用いて気相を形成する低沸点溶媒活用法、含ませた溶剤を除去する過程で空隙を形成する溶剤除去法が挙げられる。
【０１２５】
また、高分子の状態による製法分類としては、モノマーやオリゴマーなど液体原料の固化と気泡発生が同時に進行する注型発泡成形法、加熱溶融させた合成樹脂に気泡を発生させる溶融発泡成形法、あるいは、合成樹脂が固相又は水蒸気などで若干加熱した固相に近い状態で発泡させる固相発泡成形法等を挙げることができる。
【０１２６】
また、発泡体の構造としては、発泡体内の気泡が、内部で互いに連続した、いわゆるオープンセルを有する連続気泡構造と、気泡が不連続で独立して形成される独立気泡構造に分類されるが、柔軟性、可撓性、吸音性に優れる観点から、連続気泡構造であることが好ましい。
【０１２７】
（繊維質材料）
本発明に係る保持部材として適用可能な繊維質材料としては、特に制限はないが、例えば、ロックウール、グラスウール、スチールファイバー、炭素繊維、各種有機繊維（オレフィン繊維、ポリビニルアルコール繊維、セルロース繊維、合成繊維等）等を、接着剤でボード状に成形した材料、フェルト加工した材料を挙げることができる。
【０１２８】
（多孔質材料）
本発明に係る保持部材として適用可能な多孔質材料としては、上記説明した発泡樹脂材料及び繊維質材料も包含するが、その他には、低密度ポリエチレン、高密度ポリエチレン、超高分子量ポリエチレン、ポリプロピレン、ポリメチルメタアクリレート、ポリスチレン、エチレン−酢酸ビニル共重合体、フッ素樹脂等の均一な粒径（例えば、１０〜２００μｍの範囲）からなるプラスチック粉末を、加熱・焼結形成した連続多孔質体を挙げることができる。
【０１２９】
〔電力受給用端子〕
面状照明部材の電力受給用端子（受給電極）としては、一般的な電極材料を適宜選択して適用することができ、例えば、アルミ分散銅、クロム銅、銅タングステン、銀タングステン、モリブデン、ベリリウム、銀ニッケル、銀グラファイト等を挙げることができる。
【産業上の利用可能性】
【０１３０】
本発明により、軽量化及び薄膜化され、発光体の装着及び脱着が容易で、耐震性、難燃性及びメンテナンス容易性（交換容易性）に優れ、加えて防音機能も備えた横長で面状の照明装置で、室内の壁面を用いた照明や、移動体である航空機、電車、バス、自動車、船舶等の内壁の照明装置として利用することができる。
【符号の説明】
【０１３１】
１  壁部材
２  電力供給用端子
３、３Ａ〜３Ｄ  面状照明部材
４  有機エレクトロルミネッセンス素子パネル（有機ＥＬ素子パネル）
５  保持部材
６  配線
７  電力受給用端子
７Ａ  電力受給用端子又は陽極
７Ｂ  電力受給用端子又は陰極
８Ａ、９Ａ  掛止ピン受容部
８Ｂ、９Ｂ  掛止ピン
１１  支持基板
１２  透明電極（陽極）
１３、１５  有機機能層
１４  有機発光層
１６  透明電極（陰極）
１７  封止部材
Ｃ  有機機能層ユニット
Ｇ  溝部
【図１Ａ】
2014038279.tif 000003
【図１Ｂ】
2014038279.tif 000004
【図２】
2014038279.tif 000005
【図３Ａ】
2014038279.tif 000006
【図３Ｂ】
2014038279.tif 000007
【図３Ｃ】
2014038279.tif 000008
【図３Ｄ】
2014038279.tif 000009
【図４】
2014038279.tif 000010
【図５】
2014038279.tif 000011
【図６】
2014038279.tif 000012
【図７】
2014038279.tif 000013
【国際調査報告】
2014038279.tif 000014
2014038279.tif 000015
2014038279.tif 000016
2014038279.tif 000017